(57)【要約】【課題】永久磁石を使用したエレベータの非接触案内装置の取付作業性、および取付作業の安全性を向上させることができる取付治具を提供する。【解決手段】取付治具１は、非磁性体材料で形成されるとともに、乗籠５又は釣合いおもり６に案内装置３を取り付ける時に案内装置３とガイドレール７ａとの間に配置されるギャップ調整部５１を有する。このギャップ調整部５１は、案内装置３の第１の案内部４１とガイドレール７ａの先端面２０との間の空隙と同じ厚さを有するとともに、案内装置３の第１の案内部４１とガイドレール７ａの先端面２０との間に介在される第１の部分６１と、案内装置３の第２の案内部４２とガイドレール７ａの側面２１との間の空隙と同じ厚さを有するとともに、案内装置３の第２の案内部４２とガイドレール７ａの側面２１との間に介在される第２の部分６２とを備える。【選択図】      図１
2010058909.tif 000002
【特許請求の範囲】
【請求項１】
ガイドレールに沿って乗籠又は釣合いおもりを案内する非接触式の案内装置を備えたエレベータの据付時に用いられる取付治具であって、
上記ガイドレールは、上記乗籠又は釣合いおもりに対向する先端面と、上記先端面の水平方向の端部から上記乗籠又は釣合いおもりを離れる方向に延びた側面とを有し、
上記案内装置は、永久磁石を有するとともに、上記ガイドレールの先端面に空隙を空けて対向する第１の案内部と、上記ガイドレールの側面に空隙を空けて対向する第２の案内部とを備え、
当該取付治具は、非磁性体材料で形成されるとともに、上記乗籠又は釣合いおもりに上記案内装置を取り付ける時に上記案内装置と上記ガイドレールとの間に配置されるギャップ調整部を有し、このギャップ調整部は、上記案内装置の第１の案内部と上記ガイドレールの先端面との間の空隙と同じ厚さを有するとともに、上記案内装置の第１の案内部と上記ガイドレールの先端面との間に介在される第１の部分と、上記案内装置の第２の案内部と上記ガイドレールの側面との間の空隙と同じ厚さを有するとともに、上記案内装置の第２の案内部と上記ガイドレールの側面との間に介在される第２の部分とを備えることを特徴とするエレベータの取付治具。
【請求項２】
請求項１に記載の取付治具において、
上記ギャップ調整部は、上記案内装置と上記ガイドレールとの間に配置された時に上記ガイドレールに接触するレール接触部を有し、このレール接触部の全長が、上記案内装置の高さ方向の全長よりも長いことを特徴とするエレベータの取付治具。
【請求項３】
請求項２に記載の取付治具において、
上記ギャップ調整部は、上記案内装置と上記ガイドレールとの間に配置された時に上記レール接触部よりも上記乗籠又は釣合いおもりに近接する長手方向の先端部に、当該取付治具の先端に近付くに従い厚さが小さくなる傾斜部を有することを特徴とするエレベータの取付治具。
【請求項４】
請求項３に記載の取付治具において、
上記案内装置と上記ガイドレールとの間に配置された時に上記ギャップ調整部よりも上記乗籠又は釣合いおもりから離れる引掛部をさらに備え、
上記引掛部は、上記ギャップ調整部の厚さよりも厚い部分を有することを特徴とするエレベータの取付治具。
【請求項５】
請求項４に記載の取付治具において、
当該取付治具の上記ガイドレールに接する面に埋設された永久磁石をさらに備えることを特徴とするエレベータの取付治具。
【発明の詳細な説明】
【技術分野】
【０００１】
本発明は、エレベータの非接触案内装置の取り付けに用いられる取付治具に関する。
【背景技術】
【０００２】
近年、高速エレベータのより高い快適性を実現するため、ガイドレールに対して乗籠を非接触で案内する非接触案内装置の開発が進められている。
【０００３】
特許文献１は、エレベータの乗籠に搭載される非接触案内装置を開示している。この非接触案内装置は、永久磁石および電磁石を備え、鋼製のガイドレールに対して磁気力を作用させる。非接触案内装置は、ガイドレールと案内装置との間の磁気力を制御し、ガイドレールに対して乗籠を非接触で案内する。
【特許文献１】特開２００５−３５０２６７号公報
【発明の開示】
【発明が解決しようとする課題】
【０００４】
ところで、特許文献１に記載の非接触案内装置は、消費電力を抑えるために永久磁石を備えている。このような非接触案内装置をガイドレールに対して取り付ける時、鋼製のガイドレールと非接触案内装置の永久磁石との間に吸引力が働くため、取付作業の作業性が悪くなることがある。
【０００５】
すなわち、非接触案内装置とガイドレールとの間のギャップ調整を行う時、吸引力によりギャップの調整作業が困難になるおそれがある。そのためギャップの調整作業に時間を要することが考えられる。また、非接触案内装置を乗籠に固定する前に、非接触案内装置とガイドレールとの間に手を挟むおそれがある。
【０００６】
本発明の目的は、永久磁石を使用したエレベータの非接触案内装置の取付作業性、および取付作業の安全性を向上させることができる取付治具を提供することにある。
【課題を解決するための手段】
【０００７】
（１）本発明の一つの形態に係るエレベータの取付治具は、ガイドレールに沿って乗籠又は釣合いおもりを案内する非接触式の案内装置を備えたエレベータの据付時に用いられる。上記ガイドレールは、上記乗籠又は釣合いおもりに対向する先端面と、上記先端面の水平方向の端部から上記乗籠又は釣合いおもりを離れる方向に延びた側面とを有する。上記案内装置は、永久磁石を有するとともに、上記ガイドレールの先端面に空隙を空けて対向する第１の案内部と、上記ガイドレールの側面に空隙を空けて対向する第２の案内部とを備える。当該取付治具は、非磁性体材料で形成されるとともに、上記乗籠又は釣合いおもりに上記案内装置を取り付ける時に上記案内装置と上記ガイドレールとの間に配置されるギャップ調整部を有する。このギャップ調整部は、上記案内装置の第１の案内部と上記ガイドレールの先端面との間の空隙と同じ厚さを有するとともに、上記案内装置の第１の案内部と上記ガイドレールの先端面との間に介在される第１の部分と、上記案内装置の第２の案内部と上記ガイドレールの側面との間の空隙と同じ厚さを有するとともに、上記案内装置の第２の案内部と上記ガイドレールの側面との間に介在される第２の部分とを備える。
【０００８】
（２）上記（１）に記載のエレベータの取付治具の一つの形態では、上記ギャップ調整部は、上記案内装置と上記ガイドレールとの間に配置された時に上記ガイドレールに接触するレール接触部を有する。このレール接触部の全長が、上記案内装置の高さ方向の全長よりも長い。
【０００９】
（３）上記（２）に記載のエレベータの取付治具の一つの形態では、上記ギャップ調整部は、上記案内装置と上記ガイドレールとの間に配置された時に上記レール接触部よりも上記乗籠又は釣合いおもりに近接する長手方向の先端部に、当該取付治具の先端に近付くに従い厚さが小さくなる傾斜部を有する。
【００１０】
（４）上記（３）に記載のエレベータの取付治具の一つの形態では、上記案内装置と上記ガイドレールとの間に配置された時に上記ギャップ調整部よりも上記乗籠又は釣合いおもりから離れる引掛部をさらに備える。上記引掛部は、上記ギャップ調整部の厚さよりも厚い部分を有する。
【００１１】
（５）上記（４）に記載のエレベータの取付治具の一つの形態では、当該取付治具の上記ガイドレールに接する面に埋設された永久磁石をさらに備える。
【発明の効果】
【００１２】
本発明によれば、永久磁石を使用したエレベータの非接触案内装置の取付作業性、および取付作業の安全性を向上させることができる。
【発明を実施するための最良の形態】
【００１３】
以下、本発明の実施の形態について、図１ないし図１８を参照して説明する。まず、図１２ないし図１８を参照して、本発明の第１および第２の実施形態に係る取付治具１が用いられるエレベータ２の案内装置３の一例について説明する。
【００１４】
図１２は、エレベータ２の一例の全体を示す。図１２に示すように、エレベータ２は、それぞれ昇降路４内を昇降動作する乗籠５および釣合いおもり６を備える。昇降路４内には、乗籠５を案内する一対のガイドレール７ａ，７ｂ（図１２、図１３参照）と、釣合いおもり６を案内する一対のガイドレール８ａ（図１２中に一方のみ図示）とが、それぞれ鉛直方向に延設されている。図１３に示すように、ガイドレール７ａ，７ｂは、乗籠５を間に挟むように乗籠５の両側に延びている。
【００１５】
図１３に示すように、乗籠５は、枠状に組み立てられたかご枠１１と、このかご枠１１内に設けられたかご室１２とを備える。かご枠１１は、かご室１２の上方を水平方向に延びた上梁１１ａと、かご室１２の下方を水平方向に延びた下梁１１ｂと、上梁１１ａおよび下梁１１ｂの間を鉛直方向に延びた一対の縦枠１１ｃ，１１ｄとを備える。
【００１６】
エレベータ２の案内装置３は、鋼製のガイドレール７ａ，７ｂに対して磁気力を作用させ、ガイドレール７ａ，７ｂに対して乗籠５を非接触で案内する非接触式の案内装置である。案内装置３は、例えばかご枠１１の四隅にそれぞれ取り付けられている。案内装置３は、例えば上梁１１ａの上面において一方のガイドレール７ａに臨む端部と、他方のガイドレール７ｂに臨む端部とにそれぞれ設置されている。また。案内装置３は、例えば下梁１１ｂの下面において一方のガイドレール７ａに臨む端部と、他方のガイドレール７ｂに臨む端部とにそれぞれ設置されている。図１４に示すように、案内装置３は、例えば取付具１４を介してかご枠１１に固定されている。
【００１７】
図６に示すように、ガイドレール７ａ，７ｂは、それぞれ、先端面２０（主面）、第１の側面２１、および第２の側面２２を有する。先端面２０は、一対のガイドレール７ａ，７ｂの間の空間に臨んでおり、乗籠５に対向する。第１の側面２１は、先端面２０の水平方向の一方の端部２０ａ（第１の端部２０ａ）から乗籠５を離れる方向に延びている。第２の側面２２は、先端面２０の水平方向の他方の端部２０ｂ（第２の端部２０ｂ）から乗籠５を離れる方向に延びている。第１および第２の側面２１，２２は、それぞれ水平方向に延びている。第１および第２の側面２１，２２は、互いに平行に延びるとともに、互いに反対方向に向いている。
【００１８】
図１５に示すように、案内装置３は、本体部２４、天板２５、および底板２６を備える。図６、図１６ないし図１８に示すように、本体部２４は、第１ないし第３の鉄心３１，３２，３３、一対の永久磁石３４，３５、および複数のコイル３６を備える。図６および図１８に示すように、第１ないし第３の鉄心３１，３２，３３および一対の永久磁石３４，３５は、ガイドレール７ａを三方向から囲むＥ型に組み立てられている。
【００１９】
詳しく述べると、第１の鉄心３１は、３つの鉄心３１，３２，３３のなかで最も乗籠５の中心側に位置する。第１の鉄心３１は、ガイドレール７ａに向いて突出した中央部３１ａと、それぞれコイル３６が取り付けられた一対のコイル取付部３１ｂ，３１ｃとを有する。中央部３１ａは、ガイドレール７ａの先端面２０に直接に向かい合う先端部３１ｄを有する。
【００２０】
第２の鉄心３２は、ガイドレール７ａの側方に位置する。第２の鉄心３２は、ガイドレール７ａの第１の側面２１に直接に向かい合う先端部３２ａと、コイル３６が取り付けられたコイル取付部３２ｂとを有する。第２の鉄心３２と第１の鉄心３１との間には、永久磁石３４が設けられている。
【００２１】
第３の鉄心３３は、第２の鉄心３２とは反対側のガイドレール７ａの側方に位置する。第３の鉄心３３は、ガイドレール７ａの第２の側面２２に直接に向かい合う先端部３３ａと、コイル３６が取り付けられたコイル取付部３３ｂとを有する。第３の鉄心３３と第１の鉄心３１との間には、永久磁石３５が設けられている。
【００２２】
第１ないし第３の鉄心３１，３２，３３に取り付けられたコイル３６に電流が流されると、コイル３６は鉄心３１，３２，３３を励磁する。これにより、鋼製のガイドレール７ａに対して案内装置３が磁気力を作用させる。案内装置３は、ガイドレール７ａと案内装置３との間の磁気力を制御することで、ガイドレール７ａとの間に隙間（空隙）を空けながら乗籠５をガイドレール７ａに沿って案内する。
【００２３】
本実施形態では、第１の鉄心３１の先端部３１ｄが、ガイドレール７ａの先端面２０に空隙を空けて対向する第１の案内部４１を形成している。第１の案内部４１は、ガイドレール７ａの先端面２０に沿って乗籠５を案内する案内部である。一方、第２の鉄心３２の先端部３２ａが、ガイドレール７ａの第１の側面２１に空隙を空けて対向する第２の案内部４２を形成している。第３の鉄心３３の先端部３３ａがガイドレール７ａの第２の側面２２に空隙を空けて対向する第３の案内部４３を形成している。第２および第３の案内部４２，４３は、それぞれガイドレール７ａの側面２１，２２に沿って乗籠５を案内する案内部である。
【００２４】
なお、図７は案内装置３の変形例を示す。図７に示すように、必要に応じて第１ないし第３の鉄心３１，３２，３３の先端部３１ｄ，３２ａ，３３ａには、摺動部ガイドと称される保護カバー４５が取り付けられることがある。保護カバー４５は、例えば合成樹脂など鉄心３１，３２，３３に比べて柔らかい材料で形成されている。保護カバー４５は、鉄心３１，３２，３３とガイドレール７ａとが互いに接触することを防止するためのものであり、例えば鉄心３１，３２，３３の全長に亘り鉛直方向に延びている。
【００２５】
そしてこのような保護カバー４５を備えた案内装置３においては、第１の鉄心３１に取り付けられた保護カバー４５が、上記第１の案内部４１を形成している。第２の鉄心３２に取り付けられた保護カバー４５が、上記第２の案内部４２を形成している。第３の鉄心３３に取り付けられた保護カバー４５が、上記第３の案内部４３を形成している。
【００２６】
なお、上記第１ないし第３の案内部４１，４２，４３は、上記実施形態に限定されるものではなく、ガイドレール７ａの先端面２０および側面２１，２２に対してそれぞれ案内装置３のなかで最も近接する部位が該当してもよい。
【００２７】
（第１の実施形態）  
次に、本発明の第１の実施形態に係る取付治具１について、図１ないし図６を参照して説明する。取付治具１は、エレベータ２の据付時、より具体的には、案内装置３を乗籠５に取り付ける際に用いられる治具である。取付治具１は、非磁性体材料で形成されている。取付治具１は、例えばアルミニウム合金で形成されている。図２および図３に示すように、取付治具１は、ギャップ調整部５１、引掛部５２、および取っ手５３を備える。
【００２８】
ギャップ調整部５１は、取付治具１の長手方向に延びており、取付治具１の本体部を構成している。ギャップ調整部５１は、乗籠５に案内装置３を取り付ける時に、案内装置３とガイドレール７ａとの間に配置される。図５に示すように、ギャップ調整部５１は、第１の部分６１と、第２の部分６２とを有する。第２の部分６２は、第１の部分６１に対して直角に折れ曲っている。すなわち、本実施形態に係るギャップ調整部５１の断面は、Ｌ字型形状に形成されている。
【００２９】
図６に示すように、案内装置３の第１の案内部４１とガイドレール７ａの先端面２０との間には、動き代となる空隙が形成されている。この空隙は、例えば４ｍｍ〜７ｍｍである。ギャップ調整部５１の第１の部分６１は、案内装置３の第１の案内部４１とガイドレール７ａの先端面２０との間の空隙に対応した厚さ（すなわち空隙と同じ厚さ）を有する。
【００３０】
第１の部分６１は、案内装置３を乗籠５に取り付ける時に、案内装置３の第１の案内部４１とガイドレール７ａの先端面２０との間に介在され、案内装置３の第１の案内部４１とガイドレール７ａの先端面２０との間の距離を一定に保つ。
【００３１】
図６に示すように、案内装置３の第２の案内部４２とガイドレール７ａの第１の側面２１との間には、動き代となる空隙が形成されている。ギャップ調整部５１の第２の部分６２は、案内装置３の第２の案内部４２とガイドレール７ａの第１の側面２１との間の空隙に対応した厚さ（すなわち空隙と同じ厚さ）を有する。
【００３２】
第２の部分６２は、案内装置３を乗籠５に取り付ける時に、案内装置３の第２の案内部４２とガイドレール７ａの第１の側面２１との間に介在され、案内装置３の第２の案内部４２とガイドレール７ａの第１の側面２１との間の距離を一定に保つ。
【００３３】
図４に示すように、ギャップ調整部５１は、案内装置３とガイドレール７ａとの間に配置された時に、ガイドレール７ａに接触するレール接触部６４を有する。レール接触部６４は、例えば第１および第２の部分６１，６２に共に設けられている。レール接触部６４の高さ方向の全長Ｌ１（図３参照）は、案内装置３の高さ方向の全長Ｌ２（図１参照）よりも長い。
【００３４】
図４に示すように、ギャップ調整部５１は、傾斜部６５を有する。傾斜部６５は、案内装置３とガイドレール７ａとの間に配置された時にレール接触部６４よりも乗籠５に近接する長手方向の先端部に設けられている。傾斜部６５は、取付治具１の先端に近付くに従い徐々に厚さ（板厚）が小さくなる。傾斜部６５では、例えば第１の部分６１の厚さおよび第２の部分６２の厚さが共に小さくなる。なお、上記に代えて、上記第１の部分６１の厚さおよび第２の部分６２の厚さのいずれか一方が小さくなってもよい。
【００３５】
図４に示すように、ギャップ調整部５１は、ガイドレール７ａに面する第１の面５１ａと、案内装置３に面する第２の面５１ｂとを有する。傾斜部６５では、例えば第２の面５１ｂが鉛直方向に延びるとともに、第１の面５１ａが傾くことで傾斜部６５が形成されている。
【００３６】
なお、図８および図９は、それぞれ取付治具１の変形例を示す。図８に示すように、傾斜部６５は、第１の面５１ａが鉛直方向に延びるとともに、第２の面５１ｂが傾くことで厚さが小さくなっていてもよい。図９に示すように、傾斜部６５は、第１および第２の面５１ａ，５１ｂが共に傾くことで厚さが小さくなっていてもよい。
【００３７】
図２および図４に示すように、取付治具１は、引掛部５２を有する。引掛部５２は、取付治具１が案内装置３とガイドレール７ａとの間に配置された時に、ギャップ調整部５１よりも乗籠５から離れる取付治具１の基端部に設けられている。すなわち引掛部５２は、取付治具１の長手方向において傾斜部６５とは反対側の端部に設けられている。引掛部５２は、ギャップ調整部５１に比べてガイドレール７ａとは反対側に膨らんでおり、ギャップ調整部５１の厚さよりも厚い部分（例えば第１および第２の厚肉部６７，６８）を有する。
【００３８】
図２および図４に示すように、引掛部５２は、ギャップ調整部５１の第１の部分６１の延長線上に設けられた第１の厚肉部６７と、ギャップ調整部５１の第２の部分６２の延長線上に設けられた第２の厚肉部６８とを有する。
【００３９】
第１の厚肉部６７の厚さは、案内装置３の第１の案内部４１とガイドレール７ａの先端面２０との間の空隙（すなわち第１の部分６１の厚さ）よりも厚い。第２の厚肉部６８の厚さは、案内装置３の第２の案内部４２とガイドレール７ａの第１の側面２１との間の空隙（すなわち第２の部分６２の厚さ）よりも厚い。なお引掛部５２は、上記第１および第２の厚肉部６７，６８の少なくともいずれか一方が設けられていればよい。図２に示すように、引掛部５２は、取っ手５３が設けられている。
【００４０】
図３および図４に示すように、取付治具１は、永久磁石７０が設けられている。永久磁石７０は、取付治具１のガイドレール７ａに接する面に埋設されている。すなわち永久磁石７０の表面７０ａと、ギャップ調整部５１の第１の面５１ａとが同じ平面上にある。
【００４１】
次に、取付治具１の使用方法および作用を説明する。  
案内装置３を乗籠５に取り付ける時、かご枠１１の芯出しは予め行われている。すなわち、かご枠１１（乗籠５）が、昇降路４内のガイドレール７ａ，７ｂに対して、前後方向および左右方向ともに中心になるように位置出しが行われ、例えばジャッキボルト等で位置が固定されている。
【００４２】
案内装置３の取付作業は、まず、取付治具１をガイドレール７ａに宛がう。すなわち取付治具１の第１の部分６１をガイドレール７ａの先端面２０に密接させるとともに、第２の部分６２をガイドレール７ａの側面２１に密接させる。
【００４３】
取付治具１が永久磁石７０を備えることで、取付治具１はガイドレール７ａの先端面２０および側面２１に吸着される。これにより、取付治具１は、作業者の支えがない状態においてもガイドレール７ａから外れなくなる。このとき、かご枠１１がすでに芯出しされているため、取付治具１の第１および第２の部分６１，６２の厚さが案内装置３とガイドレール７ａとの間の空隙（ギャップ）に一致する。
【００４４】
上記のように取付治具１をガイドレール７ａに沿わせた後、かご枠１１に対して案内装置３を取り付ける。この作業は、まず、案内装置３を取付治具１に宛がう。このとき、例えば取付治具１の引掛部５２と案内装置３との間の距離が所定距離以内（例えば１００ｍｍ以内）であると、ギャップ調整部５１が案内装置３に対して十分な掛かり代があると判断される。
【００４５】
そして、案内装置３の第１の案内部４１を取付治具１の第１の部分６１に密接させるとともに、案内装置３の第２の案内部４２を取付治具１の第２の部分６２に密接させる。これにより、案内装置３の第１の案内部４１とガイドレール７ａの先端面２０との間の間隔、および案内装置３の第２の案内部４２とガイドレール７ａの側面２１との間の間隔が一定に定まる。
【００４６】
上記のようにして案内装置３の位置出しを行った後、例えばボルトなどを用いて案内装置３を乗籠５のかご枠１１に対して固定する。案内装置３をかご枠１１に固定した後、例えば取っ手５３を利用して取付治具１をガイドレール７ａに沿ってスライドさせ、取付治具１を案内装置３とガイドレール７ａとの間から引き抜く。このとき、取付治具１が非磁性体材料で形成されているため、取付治具１は案内装置３からスムーズに抜き出される。これにより、案内装置３の取付作業が完了する。
【００４７】
このような構成の取付治具１によれば、永久磁石３４，３５を使用したエレベータの非接触案内装置３の取付作業性、および取付作業の安全性を向上させることができる。
【００４８】
すなわち、非磁性体材料で形成されるとともに、上記第１および第２の部分６１，６２を有するギャップ調整部５１を備えた取付治具１を用いれば、この取付治具１をガイドレール７ａに宛がうとともに、案内装置３を取付治具１に宛がうことで、例え案内装置３とガイドレール７ａとの間に吸引力が生じても、案内装置３とガイドレール７ａとの間の間隔を精度良く、容易に調整することができる。これにより、案内装置３の取付作業性が向上する。
【００４９】
また、ガイドレール７ａと案内装置３との間に取付治具１が介在されていれば、永久磁石の磁気力により案内装置３が不意にガイドレール７ａに向かって移動することが少なくなり、取付作業の安全性を向上させることができる。
【００５０】
ギャップ調整部５１がガイドレール７ａに接触するレール接触部６４を有し、このレール接触部６４の全長Ｌ１が、案内装置３の高さ方向の全長Ｌ２よりも長いと、ガイドレール７ａに対する取付治具１の固定位置は、上下方向にある程度ずれても許容されるようになる。これにより、案内装置３の取付作業性が向上する。
【００５１】
ギャップ調整部５１が取付治具１の先端に近付くに従い厚さ小さくなる傾斜部６５を有すると、取付治具１を案内装置３とガイドレール７ａとの間から引き抜く際に、引き抜き力が徐々に減少し、引き抜き時の衝撃を抑えることができる。これにより、取付作業の安全性がさらに向上する。また、必要な引き抜く力が小さくなると、取付治具１を取り外しやすくなる。
【００５２】
取付治具１は、ギャップ調整部５１よりも厚い部分を有する引掛部５２を備えると、引掛部５２を利用して取付治具１の取付位置の確認ができる。これにより、調整時のミスを防ぐとともに、調整作業を迅速に行うことができる。また、案内装置３よりも上方に位置する取付治具１において、引掛部５２がギャップ調整部５１よりも厚い部分を有すると、取付治具１が案内装置３とガイドレール７ａとの間の隙間から抜け落ちることがない。これは、取付作業の安全性をさらに向上させる。
【００５３】
取付治具１のガイドレール７ａに接する面に埋設された永久磁石７０を備えると、取付治具１がガイドレール７ａに対して吸着力を有する。これにより、取付治具１をガイドレール７ａに沿わせるだけで、取付治具１がガイドレール７ａから外れて落ちないようになる。これは、案内装置３の取付作業性を向上させる。
【００５４】
（第２の実施形態）
次に、本発明の第２の実施形態に係る取付治具１について、図１０および図１１を参照して説明する。なお上記第１の実施形態の構成と同一または類似の機能を有する構成は、同一の符号を付してその説明を省略する。取付治具１は、例えば上記第１の実施形態と同じ案内装置３の取り付けに適用される。
【００５５】
取付治具１のギャップ調整部５１は、上記第１の実施形態と同じ第１および第２の部分６１，６２に加え、第３の部分８１を有する。第３の部分８１は、ギャップ調整部５１において第２の部分６２とは反対側に位置するとともに、第１の部分６１に対して直角に折れ曲っている。本実施形態に係るギャップ調整部５１の断面は、コの字型形状に形成されている。
【００５６】
図１１に示すように、案内装置３の第３の案内部４３とガイドレール７ａの第２の側面２２との間には、動き代となる空隙が形成されている。ギャップ調整部５１の第３の部分８１は、案内装置３の第３の案内部４３とガイドレール７ａの第２の側面２２との間の空隙に対応した厚さ（すなわち空隙と同じ厚さ）を有する。
【００５７】
第３の部分８１は、案内装置３を乗籠５に取り付ける時に、案内装置３の第３の案内部４３とガイドレール７ａの第２の側面２２との間の空隙に介在され、案内装置３の第３の案内部４３とガイドレール７ａの第２の側面２２との間の距離を一定に保つ。上記説明した以外の取付治具１の残りの構成は上記第１の実施形態と同じである。
【００５８】
このような構成によれば、上記第１の実施形態と同様に、永久磁石を使用したエレベータの非接触案内装置３の取付作業性、および取付作業の安全性を向上させることができる。
【００５９】
以上、本発明の第１および第２の実施形態に係る取付治具１について説明したが、本発明はこれらに限定されるものではない。この発明は実施段階においてその要旨を逸脱しない範囲で構成要素を変形して具体化することができる。
【００６０】
例えば、取付治具１は、かご枠１１の四隅に配置されるいずれの案内装置３にも適用可能である。図７ないし図９に係る変形例は、第２の実施形態に係る取付治具１にも可能である。上記第１および第２の実施形態では、乗籠５に取り付けられる案内装置３の取付作業に用いられる取付治具について説明したが、本発明は釣合いおもり６に取り付けられる案内装置に用いられる取付治具にも適用することができる。本発明に係る取付治具は、上記第１および第２の実施形態に係る「乗籠」との記載を「釣合いおもり」と読み替えて適用することができる。
【図面の簡単な説明】
【００６１】
【図１】本発明の第１の実施形態に係る取付治具を示す斜視図。
【図２】図１中に示された取付治具の斜視図。
【図３】図１中に示された取付治具の斜視図。
【図４】図１中に示された取付治具を示す断面図。
【図５】図４中に示された取付治具を矢印Ａ方向から見た下面図。
【図６】図４中に示された取付治具を示す断面図。
【図７】本発明の第１の実施形態に係る取付治具の変形例を示す断面図。
【図８】本発明の第１の実施形態に係る取付治具の変形例を示す断面図。
【図９】本発明の第１の実施形態に係る取付治具の変形例を示す断面図。
【図１０】本発明の第２の実施形態に係る取付治具の斜視図。
【図１１】図１０中に示された取付治具を示す断面図。
【図１２】本発明の取付治具が用いられるエレベータの一例を示す図
【図１３】本発明の取付治具が用いられるエレベータの乗籠の一例を示す斜視図。
【図１４】本発明の取付治具が用いられる案内装置の一例を示す斜視図。
【図１５】本発明の取付治具が用いられる案内装置の一例を示す斜視図。
【図１６】本発明の取付治具が用いられる案内装置の本体部の一例を示す斜視図。
【図１７】本発明の取付治具が用いられる案内装置の本体部の一例を示す斜視図。
【図１８】本発明の取付治具が用いられる案内装置の鉄心および永久磁石を示す斜視図。
【符号の説明】
【００６２】
１…取付治具、２…エレベータ、３…非接触案内装置、５…乗籠、７ａ…ガイドレール、２０…先端面、２１，２２…側面、３４，３５…永久磁石、４１…第１の案内部、４２…第２の案内部、５１…ギャップ調整部、５２…引掛部、６１…第１の部分、６２…第２の部分、６４…レール接触部、６５…傾斜部、６７，６８…厚肉部、７０…永久磁石。
【図１】
2010058909.tif 000003
【図２】
2010058909.tif 000004
【図３】
2010058909.tif 000005
【図４】
2010058909.tif 000006
【図５】
2010058909.tif 000007
【図６】
2010058909.tif 000008
【図７】
2010058909.tif 000009
【図８】
2010058909.tif 000010
【図９】
2010058909.tif 000011
【図１０】
2010058909.tif 000012
【図１１】
2010058909.tif 000013
【図１２】
2010058909.tif 000014
【図１３】
2010058909.tif 000015
【図１４】
2010058909.tif 000016
【図１５】
2010058909.tif 000017
【図１６】
2010058909.tif 000018
【図１７】
2010058909.tif 000019
【図１８】
2010058909.tif 000020